(57)【要約】      （修正有）【課題】汎用性に富んだミシン用補助部品を提供すること。【解決手段】機構部が外殻部材１２に覆われてなるミシン１に取り付けられるミシン用補助部品２であって、機構部と外殻部材１２とを係合させるためにミシン１に予め設けられた係合部３に着脱可能である構成としたこと。【選択図】図１
2008000470.tif 000002
【特許請求の範囲】
【請求項１】
機構部が外殻部材に覆われてなるミシンに取り付けられるミシン用補助部品であって、
前記機構部と前記外殻部材とを係合させるために前記ミシンに予め設けられた係合部に着脱可能であることを特徴とするミシン用補助部品。
【請求項２】
前記係合部は、前記外殻部材と前記機構部とを係合させるための締結部材が嵌合する凹部であることを特徴とする請求項１に記載のミシン用補助部品。
【請求項３】
前記係合部は、前記外殻部材と前記機構部とを係合させるための締結部材が螺合するネジ穴であることを特徴とする請求項１に記載のミシン用補助部品。
【請求項４】
前記係合部に取り付けられる取り付け部と、前記ミシンと共に使用される物品を設置可能な平面部とを備えることを特徴とする請求項１乃至請求項３の何れかに記載のミシン用補助部品。
【発明の詳細な説明】
【技術分野】
【０００１】
本発明は、機構部が外殻部材に覆われてなるミシンに取り付けられるミシン用補助部品に関する。
【背景技術】
【０００２】
従来のミシン用補助部品が、後述の特許文献１に記載されている。このミシン用補助部品は、ミシンに取り付けられる拡大鏡である。ミシンは、機構部がカバーに覆われてなり、カバーは開閉可能である。ミシン用補助部品は、カバーに予め取り付けられている。ミシン用補助部品は、カバーの内部に収納可能であり、必要なときにはカバーを開いて取り出され、不必要なときにはカバーの内部に収納される。
【特許文献１】実開平７−９２７９号公報
【発明の開示】
【発明が解決しようとする課題】
【０００３】
上述のミシンにおいては、ミシン用補助部品がカバーに予め取り付けられている。つまり、ミシン用補助部品、カバー、及びこれら部材間の取り付け部分は、専用設計による構造となっている。
【０００４】
このため、ミシン用補助部品をミシンから取り外すことは、基本的には想定外である。仮に、ミシン用補助部品を取り外すことができたとしても、取り外したミシン用補助部品を別のミシンに取り付ける場合には、当該ミシンにおける構造の変更等が必要となる可能性がある。
【０００５】
以上のように、特許文献１に記載のミシン用補助部品は、取り外した後に別のミシンに取り付けて使用することが安易にできず、汎用性に欠けるものであった。
【０００６】
よって、本発明は上記の問題点に鑑みてなされたものであり、汎用性に富んだミシン用補助部品を提供することを課題とする。
【課題を解決するための手段】
【０００７】
上記課題を解決するために、本発明にて講じた技術的手段は、請求項１に記載の様に、機構部が外殻部材に覆われてなるミシンに取り付けられるミシン用補助部品であって、前記機構部と前記外殻部材とを係合させるために前記ミシンに予め設けられた係合部に着脱可能である構成としたことである。
【０００８】
好ましくは、請求項２に記載の様に、前記係合部は、前記外殻部材と前記機構部とを係合させるための締結部材が嵌合する凹部であると良い。
【０００９】
好ましくは、請求項３に記載の様に、前記係合部は、前記外殻部材と前記機構部とを係合させるための締結部材が螺合するネジ穴であると良い。
【００１０】
好ましくは、請求項４に記載の様に、前記係合部に取り付けられる取り付け部と、前記ミシンと共に使用される物品を設置可能な平面部とを備えると良い。
【発明の効果】
【００１１】
本発明に係るミシン用補助部品は、ミシンに予め設けられた係合部に取り付けられる。このため、ミシン用補助部品のミシンへの取り付けに際しては、当該ミシンの構造を何ら変更する必要がなく、汎用性に富んだミシン用補助部品が実現する。
【発明を実施するための最良の形態】
【００１２】
以下、本発明を実施するための最良の形態を、図面を基に説明する。
【００１３】
（実施例１）
図１は、本発明に係るミシン用補助部品２がミシン１に取り付けられる態様を示す斜視図である。
【００１４】
ミシン用補助部品２には、凸状の突起部２１（取り付け部）と、平面部２２と、ツメ部２３が設けられている。凸状の突起部２１は、ミシン１の外殻部材１２に設けられた係合部３に取り付けられる。平面部２２には、ミシン１と共に使用される物品を設置可能である。ツメ部２３は、補助部品２がミシン１に取り付けられた時に、ミシン１に設けられるミシンハンドル１４と係合する。
【００１５】
図２は、ミシン１における係合部３周辺の構造を示す模式図である。同図に示す様に、係合部３は、ミシン１の機構部１１と外殻部材１２とを係合させるために外殻部材１２に予め設けられており、機構部１１と外殻部材１２とを係合させるためのボルト等の締結部材１３が嵌合する凹部である。ミシン用補助部品２における凸状の突起部２１を、外殻部材１２の係合部３に嵌合させることにより、ミシン用補助部品２がミシン１に取り付けられる。
【００１６】
図３に示す様に、ミシン用補助部品２がミシン１に取り付けられた状態で、ミシン１のユーザは、ミシン１と共に使用される付属品収納箱等をミシン用補助部品２の平面部２２に設置できる。これにより、ミシン１を使用する際のユーザの利便性が向上する。また、同図に示す様に、ミシン１のミシンハンドル１４とミシン用補助部品２のツメ部２３とを係合させることでミシン用補助部品２がロックされ、ミシン用補助部品２に荷重がかかってもミシン１から外れない構成になっている。さらに、同図に示す様に、ミシン用補助部品２における平面部２２の大きさを、公知のスライド機構等を用いて調節可能とすることで、様々なサイズの物品を平面部２２に設置でき、ユーザの利便性がさらに向上する。
【００１７】
なお、ミシン用補助部品２が不要な場合は、取り外して別の場所にしまっておくか、図４に示す様に、取り外したミシン用補助部品２をミシン１の上部に配置して収納することで、ミシン１周辺の作業スペースを十分に確保できる。
【００１８】
（実施例２）
図５は、本発明に係るミシン用補助部品５がミシン１に取り付けられる態様を示す斜視図である。
【００１９】
ミシン用補助部品５には、アーム部６（取り付け部）と、平面部７が設けられている。アーム部６は、取り付けネジ９ａ（締結部材）を介して、ミシン１の機構部１６に設けられた係合部８に取り付けられる。平面部７は、取り付けネジ９ｂを介して、アーム部６に接続されている。平面部７には、開口部７ａが設けられている。
【００２０】
係合部８は、ミシン１の機構部１６と外殻部材１５とを係合させるために機構部１６に予め設けられ、機構部１６と外殻部材１５とを係合させるための取り付けネジ９ａが螺合するネジ穴である。取り付けネジ９ａをミシン用補助部品５のアーム部６及び外殻部材１５に挿通して機構部１６の係合部８に螺合させることにより、外殻部材１５と機構部１６とが係合すると共に、ミシン用補助部品５がミシン１に取り付けられる。
【００２１】
なお、本実施例の取り付けネジ９ａに関しては、ミシン用補助部品５をミシン１の係合部８に取り付け得るサイズ（長さ）のものをミシン用補助部品５のためにあらためて用意してもよいし、機構部１６と外殻部材１５とを係合させるために予め設けられる締結部材（図２における締結部材１３に相当）のサイズが十分であれば、当該締結部材を取り付けネジ９ａとして用いてもよい。
【００２２】
ミシン用補助部品５において、平面部７の開口部７ａには、図６乃至図８に示す様に、レンズ３１や、針山３２や、説明書３３ａを保持するためのスタンド３３等、ミシン１のために予め用意されたモジュール４０が着脱可能である。
【００２３】
ミシン用補助部品５のアーム部６は、取り付けネジ９ａを介して、ミシン１の係合部８に取り付けられる。この構造によれば、アーム部６を係合部８（ミシン１）に対して自由に回転させることができ、ミシン１に対するアーム部６の向きを任意に設定できる。また、ミシン用補助部品５においては、平面部７が取り付けネジ９ｂを介してアーム部６に接続されており、アーム部６に対する平面部７の向きも可変である。これにより、ミシン１のユーザは、ミシン１に対する平面部７の向き及び位置を、平面部７の開口部７ａに取り付けられたモジュール４０（レンズ３１、針山３２、スタンド３３）の機能・用途に応じて好適に設定できる。本実施例のミシン用補助部品５により、ユーザにとって使い勝手のよいミシン１が実現し、ユーザの利便性がさらに向上する。
【００２４】
上述の実施例１に係るミシン用補助部品２、ならびに実施例２に係るミシン用補助部品５は、ミシン１に予め設けられた凹部である係合部３、ネジ穴である係合部８にそれぞれ着脱可能である。したがって、例えば、ミシン用補助部品２、５をミシン１から取り外して別のミシンに取り付けようとした場合、ミシン１における係合部３、８と同様な構造が当該ミシンに設けられていれば、ミシン用補助部品２、５の取り付けに際しては、当該ミシンの構造を何ら変更する必要がない。
【００２５】
以上説明した様に、本発明によれば、ミシン１の使い勝手、利便性を向上させることができ、且つ同様な構造を持ったミシンに簡単に取り付けることのできる、汎用性に富んだミシン用補助部品２、５が実現する。
【００２６】
以下、上記実施の形態から把握できる技術的思想を追記する。
【００２７】
・アーム部６（取り付け部）が取り付けネジ９ａ（締結部材）を介して係合部８に回転自在に取り付けられることを特徴とするミシン用補助部品５。
【００２８】
・平面部７のアーム部６（取り付け部）に対する向きが可変であることを特徴とするミシン用補助部品５。
【００２９】
・平面部７には、ミシン１（装置）のために予め用意されたレンズ３１、針山３２、スタンド３３（モジュール４０）が着脱可能な開口部７ａが設けられることを特徴とするミシン用補助部品５。
【図面の簡単な説明】
【００３０】
【図１】本発明に係るミシン用補助部品２がミシン１に取り付けられる態様を示す斜視図。
【図２】ミシン１における係合部３周辺の構造を示す模式図。
【図３】ミシン用補助部品２がミシン１に取り付けられた状態を示す斜視図。
【図４】ミシン用補助部品２の収納の態様を示す斜視図。
【図５】本発明に係るミシン用補助部品５がミシン１に取り付けられる態様を示す斜視図。
【図６】ミシン用補助部品５の平面部７にレンズ３１が取り付けられた状態を示す斜視図。
【図７】ミシン用補助部品５の平面部７に針山３２が取り付けられた状態を示す斜視図。
【図８】ミシン用補助部品５の平面部７にスタンド３３が取り付けられた状態を示す斜視図。
【符号の説明】
【００３１】
１  ミシン
２  ミシン用補助部品
３  係合部
５  ミシン用補助部品
６  アーム部（取り付け部）
７  平面部
７ａ  開口部
８  係合部
９ａ  取り付けネジ（締結部材）
１１  機構部
１２  外殻部材
１３  締結部材
１５  外殻部材
１６  機構部
２１  凸状の突起部（取り付け部）
２２  平面部
３１  レンズ（モジュール）
３２  針山（モジュール）
３３  スタンド（モジュール）
４０  モジュール
【図１】
2008000470.tif 000003
【図２】
2008000470.tif 000004
【図３】
2008000470.tif 000005
【図４】
2008000470.tif 000006
【図５】
2008000470.tif 000007
【図６】
2008000470.tif 000008
【図７】
2008000470.tif 000009
【図８】
2008000470.tif 000010